(57)【要約】      （修正有）【課題】順番付けされる複数データが、それぞれ複数の電子媒体に記憶されている状態で該電子媒体が無作為な順で接続されても、その並び順に応じて各データを記憶し表示可能なデータ処理装置の提供。【解決手段】電子ペーパ(A〜E)が無作為な並び順で装着されると、各ペーパに記憶表示される表示データ(D1〜D10)がそのID(101〜110)と共に読出され、管理テーブルに各ペーパID(A〜E)と対応付けられて記憶される。各表示データ(D1〜D10)の順番は、そのID(101〜110)又はその目次(M1〜M10)の順番で特定され、各ペーパ(A〜E)の並び順(B,E,D,C,A)が当該各ペーパの重なり検出センサに基づき検出される。検出された各ペーパの並び順(B→E→D→C→A)に従いそれぞれ記憶される表示データが、特定されたID(101〜110)又は目次(M1〜M10)の順番で書換えられ記憶される。【選択図】図１０
2014078167.tif 000002
【特許請求の範囲】
【請求項１】
複数の電子媒体が着脱自在に接続される電子データ処理装置であって、
前記複数の電子媒体にそれぞれ記憶されたデータを取得するデータ取得手段と、
このデータ取得手段により前記複数の電子媒体から取得された各データの順番を特定するデータ順特定手段と、
前記複数の電子媒体の並び順を検出する媒体並び順検出手段と、
前記複数の電子媒体にそれぞれ記憶されたデータを、前記データ順特定手段により特定された各データの順番で、前記媒体並び順検出手段により検出された前記複数の電子媒体の並び順に従い書き換えるデータ書き換え手段と、
を備えたことを特徴とする電子データ処理装置。
【請求項２】
前記データ順特定手段は、
前記データ取得手段により前記複数の電子媒体から取得された各データに当該各データの順番を示す順番情報が含まれるか否かを判断する順番情報判断手段を有し、
この順番情報判断手段により前記各データに順番情報が含まれると判断された場合は、その順番情報に従い当該各データの順番を特定する、
ことを特徴とする請求項１に記載の電子データ処理装置。
【請求項３】
前記データ順特定手段は、
前記データ取得手段により前記複数の電子媒体から取得された各データの順番をユーザ操作に応じて変更するデータ順変更手段を有し、
このデータ順変更手段により変更された順番に従い前記各データの順番を特定する、
ことを特徴とする請求項１または請求項２に記載の電子データ処理装置。
【請求項４】
前記複数の電子媒体はそれぞれ隣り合う電子媒体の有無を相互に検出する隣接検出センサを有し、
前記媒体並び順検出手段は、前記複数の電子媒体それぞれの識別情報と前記隣接検出センサにより検出される電子媒体毎の隣り合う電子媒体の有無の検出情報とに基づき、当該複数の電子媒体の並び順を検出する、
ことを特徴とする請求項１ないし請求項３の何れか１項に記載の電子データ処理装置。
【請求項５】
前記媒体並び順検出手段は、前記複数の電子媒体の並び順を当該各電子媒体が接続される順番に応じて検出する、
ことを特徴とする請求項１ないし請求項４の何れか１項に記載の電子データ処理装置。
【請求項６】
前記データ取得手段により前記複数の電子媒体から取得された各データに基づいて当該各データの目次を生成する目次生成手段と、
この目次生成手段により生成された前記各データの目次を表示部に表示させる目次表示制御手段と、
を備えたことを特徴とする請求項１ないし請求項５の何れか１項に記載の電子データ処理装置。
【請求項７】
前記データ順特定手段は、
前記目次表示制御手段により表示された各データの目次の順番をユーザ操作に応じて変更する目次順変更手段を有し、
この目次順変更手段により変更された目次の順番に従い前記各データの順番を特定する、
ことを特徴とする請求項６に記載の電子データ処理装置。
【請求項８】
前記電子媒体は、着脱自在に非接触で接続され、表示データを表示する電子ペーパであり、
前記電子ペーパが載せられた状態で、当該電子ペーパ上でのユーザ操作に応じた操作位置を検出する操作位置検出手段と、
この操作位置検出手段により検出されたユーザ操作位置に応じたデータを追記データとして前記電子ペーパの該当する位置に重畳して表示させる追記重畳表示制御手段と、
を備えたことを特徴とする請求項１ないし請求項７の何れか１項に記載の電子データ処理装置。
【請求項９】
複数の電子媒体が着脱自在に接続される電子機器のコンピュータを制御するためのプログラムであって、
前記コンピュータを、
前記複数の電子媒体にそれぞれ記憶されたデータを取得するデータ取得手段、
このデータ取得手段により前記複数の電子媒体から取得された各データの順番を特定するデータ順特定手段、
前記複数の電子媒体の並び順を検出する媒体並び順検出手段、
前記複数の電子媒体にそれぞれ記憶されたデータを、前記データ順特定手段により特定された各データの順番で、前記媒体並び順検出手段により検出された前記複数の電子媒体の並び順に従い書き換えるデータ書き換え手段、
として機能させるためのプログラム。
【発明の詳細な説明】
【技術分野】
【０００１】
本発明は、例えば紙状の不揮発性表示装置を用いた電子ペーパ等の電子媒体に所望の情報を記録して出力させるための電子データ処理装置およびその制御プログラムに関する。
【背景技術】
【０００２】
近年、電子ペーパと称される紙状の不揮発性表示装置が開発されている。この電子ペーパは、無電源状態で画像を表示保持する表示面を有し、紙には及ばずながらも薄く、柔軟性のあるもので、電源を供給することで画像の書き込み／消去が可能になり、テキストや画像など、様々なコンテンツを表示保持させることができる。
【０００３】
出願人は、電子ペーパを下敷に載せて手書き記入することで電子ペーパ上に手書き内容を表示できるようにした電子ペーパ記録装置の特許出願を行った（例えば、特許文献１参照。）。
【０００４】
この電子ペーパ記録装置では、下敷とペーパとの組合せをシンクライアントとしたサーバクライアントシステムにおいて、サーバには、当該下敷とペーパとの組合せに対応したデフォルトの画面データが予め生成されて記憶されており（仮想ペーパクライアント）、下敷にペーパを載せることでその組合せに対応する画面データを読み出して表示できる。そして、ペーパの画面データ上で手書き記入を行った場合には、その画面データ上に手書き軌跡を追記して記憶できる。
【０００５】
なお、前記下敷の上には、複数枚の電子ペーパを重ねて載せられるようにしているが、その一番上に重ねられた電子ペーパを検出することで、前記画面データや手書き軌跡の表示の対象となる電子ペーパを判別している。
【０００６】
また、電子ペーパへのデータ書込み装置であって、正しいキーデータを持つキーユニットの接続、あるいは正しいキーデータの入力により電子ペーパをマスク表示（非表示）から表示に変更する。更に前記キーユニットの接続中でも所定時間の経過でマスク表示に戻す。これにより、機密の画面データを必要に応じて表示と非表示とで選択して保護することが考えられている（例えば、特許文献２参照。）。
【先行技術文献】
【特許文献】
【０００７】
【特許文献１】特開２００７−３２３３６５号公報
【特許文献２】特開２００９−１５７０３６号公報
【発明の概要】
【発明が解決しようとする課題】
【０００８】
前記従来の電子ペーパ記録装置やデータ書込み装置では、下敷に載せられた複数枚の電子ペーパのうち、一番上に重ねられた電子ペーパを判別してその画面データの表示と非表示を制御することができる。
【０００９】
しかしながら、前記複数枚の電子ペーパそれぞれの画面データは、下敷との組合せに対応したデフォルトの画面データとして表示されるため、当該複数枚の電子ペーパにそれぞれ一連の内容となる画面データが対応付けられている場合に、各電子ペーパが無作為な並び順で下敷に載せられると、ユーザが同各電子ペーパを順次めくって見る画面データの順番がばらばらになってしまう不具合がある。
【００１０】
本発明は、このような課題に鑑みなされたもので、順番付けされる複数のデータがそれぞれ複数の電子媒体に記憶されている状態で、当該複数の電子媒体が無作為な並び順で接続された場合でも、その接続後の並び順に応じた順番で各データを記憶させ出力させることが可能になる電子データ処理装置およびその制御プログラムを提供することを目的とする。
【課題を解決するための手段】
【００１１】
本発明に係る電子データ処理装置は、複数の電子媒体が着脱自在に接続される電子データ処理装置であって、前記複数の電子媒体にそれぞれ記憶されたデータを取得するデータ取得手段と、このデータ取得手段により前記複数の電子媒体から取得された各データの順番を特定するデータ順特定手段と、前記複数の電子媒体の並び順を検出する媒体並び順検出手段と、前記複数の電子媒体にそれぞれ記憶されたデータを、前記データ順特定手段により特定された各データの順番で、前記媒体並び順検出手段により検出された前記複数の電子媒体の並び順に従い書き換えるデータ書き換え手段と、を備えたことを特徴としている。
【発明の効果】
【００１２】
本発明によれば、順番付けされる複数のデータがそれぞれ複数の電子媒体に記憶されている状態で、当該複数の電子媒体が無作為な並び順で接続された場合でも、その接続後の並び順に応じた順番で各データを記憶させ出力させることが可能になる。
【図面の簡単な説明】
【００１３】
【図１】本発明の電子データ処理装置の実施形態に係る電子ペーパ記録装置（片面タイプ）１０Ａの構成を示す図であり、同図（Ａ）は外観構成を示す斜視図、同図（Ｂ）は１枚の電子ペーパ（片面タイプ）１１Ａを抜き出して示す正面図。
【図２】本発明の実施形態に係る電子ペーパ記録装置（両面タイプ）１０Ｂの構成を示す図であり、同図（Ａ）は外観構成を示す斜視図、同図（Ｂ）は１枚の電子ペーパ（両面タイプ）１１Ｂを抜き出し裏面にして示す正面図。
【図３】前記電子ペーパ記録装置１０Ａ，１０Ｂにおける電子ペーパ１１Ａ，１１Ｂの構成を示す図であり、同図（Ａ）は電子ペーパ（片面タイプ）１１Ａを表側から見て示す構成図、同図（Ｂ）は電子ペーパ（両面タイプ）１１Ｂを裏側から見て示す構成図。
【図４】前記電子ペーパ記録装置１０Ａ，１０Ｂの電子ペーパ１１Ａ，１１Ｂに設けられた重なり検出センサ２５の構成を拡大して示す図であり、同図（Ａ）は電子ペーパ（片面タイプ）１１Ａの重なり検出センサ２５（２５Ｒ）を拡大して示す構成図、同図（Ｂ）は電子ペーパ（両面タイプ）１１Ｂの裏側の重なり検出センサ２５Ｌを拡大して示す構成図。
【図５】前記電子ペーパ記録装置１０Ａ，１０Ｂにおける電子下敷１２Ａ，１２Ｂの構成を示す図であり、同図（Ａ）は電子下敷（片面タイプ）１２Ａを正面から見て示す構成図、同図（Ｂ）は見開き型電子下敷１２Ｂの左面を見て示す構成図、同図（Ｃ）は電子下敷１２Ａ，１２Ｂ（右面）の縦断面構成図。
【図６】前記電子ペーパ記録装置１０Ａ，１０Ｂにおいて電子下敷１２Ａ，１２Ｂのバインダ部１３，１６に対応させて設けた電子ペーパ１１Ａ，１１Ｂへの電源供給と通信接続を行うための電磁誘導部（平面タイプ）の構成を示す図。
【図７】前記電子ペーパ記録装置１０Ａ，１０Ｂにおいて電子下敷１２Ａ，１２Ｂのバインダ部１３，１６に対応させて設けた電子ペーパ１１Ａ，１１Ｂへの電源供給と通信接続を行うための電磁誘導部（凸面タイプ）の構成を示す図。
【図８】前記電子ペーパ記録装置（両面タイプ）１０Ｂにおいて複数枚の電子ペーパ（両面タイプ）１１Ｂ…が載置された具体例を示す図。
【図９】前記電子ペーパ記録装置１０Ａ，１０ＢをネットワークＮ上のクラウドコンピューティングシステムの端末として組み込んだ場合の電子回路の構成を示すブロック図。
【図１０】前記電子ペーパ記録装置１０Ａ，１０Ｂの電子下敷１２Ｂ（１２Ａ）の情報記憶装置３０にて記憶管理される電子ペーパ管理テーブル３０Ｔの内容を示す図。
【図１１】前記電子ペーパ記録装置１０Ｂ（１０Ａ）の電子ペーパ１１Ｂ（１１Ａ）の情報記憶装置２１にて記憶管理される表示コンテンツ記憶部２１Ｄの内容を示す図。
【図１２】前記電子ペーパ記録装置１０Ａ，１０Ｂの電子下敷１２Ａ，１２Ｂによる電子下敷処理を示すフローチャート。
【図１３】前記電子下敷１２Ａ，１２Ｂの電子下敷処理に伴う重なり検出処理を示すフローチャート。
【図１４】前記電子下敷１２Ａ，１２Ｂの重なり検出処理に伴う単独重なり検出処理を示すフローチャート。
【図１５】前記電子下敷１２Ａ，１２Ｂの電子下敷処理に伴うコンテンツ順番特定処理を示すフローチャート。
【発明を実施するための形態】
【００１４】
以下図面により本発明の実施の形態について説明する。
【００１５】
図１は、本発明の電子データ処理装置の実施形態に係る電子ペーパ記録装置（片面タイプ）１０Ａの構成を示す図であり、同図（Ａ）は外観構成を示す斜視図、同図（Ｂ）は１枚の電子ペーパ（片面タイプ）１１Ａを抜き出して示す正面図である。
【００１６】
この電子ペーパ記録装置（片面タイプ）１０Ａは、その表面に不揮発性表示装置１７を有する複数枚の電子ペーパ（片面タイプ）１１Ａ…と、この複数枚の電子ペーパ１１Ａ…を重ねて載置する電子下敷（片面タイプ）１２Ａとを備え、各電子ペーパ１１Ａ…は電子下敷１２Ａの左側中央に設けられた片面バインダ部１３にその左辺中央を挟み込ませて綴じられる。
【００１７】
電子下敷１２Ａは、その表面における電子ペーパ１１Ａ…の載置面に対応させて例えば電磁誘導方式によるタブレット１４を備え、このタブレット１４によって電子ペン１５による最上部の電子ペーパ１１Ａ上での手書き位置に対応する座標位置を検出する。そして、バインダ部１３を利用して設けられた後述の非接触型の電源供給手段及び通信手段（図３〜図７参照）を介して電子ペーパ１１Ａに内蔵された表示用の記憶装置に対し前記手書き位置の検出座標に対応した表示データ、あるいは外部の情報提供装置から取得された各種コンテンツの表示データを記憶させ、電子ペーパ１１Ａの不揮発性表示装置１７を表示動作させる。
【００１８】
電子ペーパ１１Ａの不揮発性表示装置１７は、例えば透明の電極板間に＋に帯電した黒色粒子と−に帯電した白色粒子とを交互にマトリクス状に仕切って封入し、一方の電極板を−（マイナス）に帯電させることで黒色表示となり、＋（プラス）に帯電させることで白色表示となるもので、当該電極板は電圧の印加によってその最後に印加した電圧の極性に帯電し、無電源状態での表示が保持される。
【００１９】
これにより、電子下敷１２Ａおよびそのバインダ部１３を介して外部から入力された表示データを電子ペーパ１１Ａにて表示できるだけでなく、前記電子ペン１５によって直接的に書き込んだ手書きデータをも表示させることができ、しかもその電子ペーパ１１Ａを、図１（Ｂ）に矢印ａで示すように、電子下敷１２Ａから取り外すことで、通常の紙と同じように取り扱うことができる。
【００２０】
図２は、本発明の実施形態に係る電子ペーパ記録装置（両面タイプ）１０Ｂの構成を示す図であり、同図（Ａ）は外観構成を示す斜視図、同図（Ｂ）は１枚の電子ペーパ（両面タイプ）１１Ｂを抜き出し裏面にして示す正面図である。
【００２１】
この電子ペーパ記録装置（両面タイプ）１０Ｂで使用する複数枚の電子ペーパ（両面タイプ）１１Ｂ…は、その表面と裏面との両面にそれぞれ前述の不揮発性表示装置１７Ｒ，１７Ｌを有し、見開き型電子下敷１２Ｂの中央に設けられた見開きバインダ部１６によってそれぞれその一端部が貫通されて綴じられる。
【００２２】
見開き型電子下敷１２Ｂは、その左右の各見開き面における電子ペーパ１１Ｂ…の載置面にそれぞれ例えば電磁誘導方式によるタブレット１４Ｒ，１４Ｌを備え、このタブレット１４Ｒ，１４Ｌの各々によって電子ペン１５による右側最上部の電子ペーパ１１Ｂの表面上と左側最上部の電子ペーパ１１Ｂの裏面上での手書き位置に対応する座標位置を検出する。そして、見開きバインダ部１６に対応して設けられた後述の非接触型の電源供給手段及び通信手段（図３〜図７参照）を介して電子ペーパ１１Ｂに内蔵された表示用の記憶装置に対し前記表面と裏面の各手書き位置の検出座標に対応した表示データ、あるいは外部の情報提供装置から取得された各種コンテンツの表示データを記憶させ、電子ペーパ１１Ｂをその両面の不揮発性表示装置１７Ｒ，１７Ｌで表示動作させる。
【００２３】
これにより、電子下敷１２Ｂおよびその見開きバインダ部１６を介して外部から入力された表示データを電子ペーパ（両面タイプ）１１Ｂの表裏面にて表示できるだけでなく、前記電子ペン１５によって直接的に書き込んだ手書きデータをも同表裏面に表示させることができ、しかもその電子ペーパ１１Ｂを、図２（Ｂ）に矢印ｃで示すように、電子下敷１２Ｂから取り外すことで、通常の表と裏のある紙と同じように取り扱うことができる。
【００２４】
図３は、前記電子ペーパ記録装置１０Ａ，１０Ｂにおける電子ペーパ１１Ａ，１１Ｂの構成を示す図であり、同図（Ａ）は電子ペーパ（片面タイプ）１１Ａを表側から見て示す構成図、同図（Ｂ）は電子ペーパ（両面タイプ）１１Ｂを裏側から見て示す構成図である。
【００２５】
なお、表側から見た電子ペーパ（片面タイプ）１１Ａの構成と電子ペーパ（両面タイプ）１１Ｂの構成とは同じである。
【００２６】
電子ペーパ１１Ａ，１１Ｂには、その中央の略全領域に渡って不揮発性表示装置（表）１７（１７Ｒ），（裏）１７Ｌが設けられ、また綴じ込み部１８には、フレキシブルＩＣチップからなる制御装置１９、個別の電子ペーパＩＤを記憶するＩＤ記憶部２０、表示データを記憶する（情報）記憶装置２１が表裏共用として内蔵される。
【００２７】
さらに、前記綴じ込み部１８の中央に設けられた一方のバインダ用貫通孔１６ａの周囲には非接触型の電磁誘導電源部２２が表裏共用として内蔵され、また、もう一方のバインダ用貫通孔１６ｂの周囲には非接触型の通信装置２３が表裏共用として内蔵される。
【００２８】
また、電子ペーパ１１Ａ，１１Ｂの表側上部と、電子ペーパ１１Ｂの裏側上部とには、それぞれキーやタッチパッドなどを使用した入力装置２４（２４Ｒ），２４Ｌが設けられ、当該ペーパ上部の前記綴じ込み部１８とは反対の端部には、光センサを使用した重なり検出センサ２５（２５Ｒ），２５Ｌが設けられる。
【００２９】
図４は、前記電子ペーパ記録装置１０Ａ，１０Ｂの電子ペーパ１１Ａ，１１Ｂに設けられた重なり検出センサ２５の構成を拡大して示す図であり、同図（Ａ）は電子ペーパ（片面タイプ）１１Ａの重なり検出センサ２５（２５Ｒ）を拡大して示す構成図、同図（Ｂ）は電子ペーパ（両面タイプ）１１Ｂの裏側の重なり検出センサ２５Ｌを拡大して示す構成図である。
【００３０】
この重なり検出センサ２５（２５Ｒ），２５Ｌは、微弱発光部ＥＭと受光部ＡＣとを組み合わせて構成したもので、図４（Ａ）に示すように、電子ペーパ（片面タイプ）１１Ａおよび電子ペーパ（両面タイプ）１１Ｂの表側の重なり検出センサ２５（２５Ｒ）では、微弱発光部ＥＭは、センサ領域と等しい受光部ＡＣの受光領域内の内側寄りに設けられ、また、図４（Ｂ）に示すように、電子ペーパ（両面タイプ）１１Ｂの裏側の重なり検出センサ２５Ｌでは、微弱発光部ＥＭは、センサ領域と等しい受光部ＡＣの受光領域内の外側寄りに設けられる。
【００３１】
例えば複数枚の電子ペーパ１１Ａ，１１Ｂが重ねられて電子下敷１２Ａ，１２Ｂに載せられた場合、先ず、前記重なり検出センサ２５（２５Ｒ），２５Ｌの発光部ＥＭを発光させることなく、受光部ＡＣに受光のあるペーパの面が最上面に位置することが判別され、次に重なり不明な電子ペーパ１１Ａ，１１Ｂの表面または裏面の発光部ＥＭを無作為な順番で発光させることで、その都度、受光部ＡＣに受光のあるペーパの面が前記発光させたペーパの面と重なり合うことが判別されると共に、受光部ＡＣに受光のないペーパの面が最下面に位置することが判別される。
【００３２】
これにより、電子下敷１２Ａ，１２Ｂに載せられた複数枚の電子ペーパ１１Ａ，１１Ｂについて、その並び順を判別することができる。
【００３３】
そして、前記電子ペーパ１１Ａ，１１Ｂにおける不揮発性表示装置（表）１７（１７Ｒ），（裏）１７Ｌの４角の位置には、当該電子ペーパ１１Ａ，１１Ｂの電子下敷タブレット１４（１４Ｒ），１４Ｌに対する載置位置の位置ずれ検出のためのキャリブレーションポインタ２６ａ〜２６ｄが表裏共用として内蔵される。
【００３４】
図５は、前記電子ペーパ記録装置１０Ａ，１０Ｂにおける電子下敷１２Ａ，１２Ｂの構成を示す図であり、同図（Ａ）は電子下敷（片面タイプ）１２Ａを正面から見て示す構成図、同図（Ｂ）は見開き型電子下敷１２Ｂの左面を見て示す構成図、同図（Ｃ）は電子下敷１２Ａ，１２Ｂ（右面）の縦断面構成図である。
【００３５】
なお、正面から見た電子下敷（片面タイプ）１２Ａの構成と見開き型電子下敷１２Ｂの右面を見た構成とは同じである。
【００３６】
電子下敷１２Ａ，１２Ｂには、その中央の略全領域に渡って例えば電磁誘導方式のタブレット１４（１４Ｒ），１４Ｌが設けられ、またペーパ綴じ込み部２７には、ＩＣチップからなる制御装置２８、個別の電子下敷ＩＤを記憶するＩＤ記憶部２９、電子ペーパ１１Ａ，１１Ｂに対する表示用データなどを記憶する（情報）記憶装置３０が内蔵される。
【００３７】
また、電子下敷１２Ａ，１２Ｂの右端部、同電子下敷１２Ｂの左端部には、それぞれキーやタッチパッドなどを使用した下敷用入力装置３１（３１Ｒ），３１Ｌが設けられ、さらに上端部にはＬＣＤモニタなど常時電源供給の必要な表示装置をコネクタ接続するための接触型表示Ｉ／Ｆ（インターフェイス）３２、外部の通信ネットワークやそのネットワーク上にあるサーバコンピュータなどとの接続を図るための外部接続装置３３が設けられる。
【００３８】
さらに、前記ペーパ綴じ込み部２７のバインダ位置に対応させた中央部分には、電磁誘導電源供給部３５（３５Ｒ），３５Ｌが内蔵され、この電磁誘導電源供給部３５（３５Ｒ），３５Ｌから電磁誘導によって前記電子ペーパ１１Ａ，１１Ｂへの非接触電源供給を行うための電源供給用コア３４（３４Ｒ），３４Ｌが設けられる。
【００３９】
また、同ペーパ綴じ込み部２７のバインダ位置に対応させた中央部分には、通信装置３７（３７Ｒ），３７Ｌが内蔵され、この通信装置３７（３７Ｒ），３７Ｌから電磁誘導によって前記電子ペーパ１１Ａ，１１Ｂへの非接触通信を行うための通信用コア３６（３６Ｒ），３６Ｌが設けられる。
【００４０】
そしてこの電子下敷１２Ａ，１２Ｂには、例えば充電式のバッテリ３８が内蔵され、このバッテリ３８によって前記タブレット１４（１４Ｒ），１４Ｌ、制御装置２８、ＩＤ記憶部２９、記憶装置３０、下敷用入力装置３１（３１Ｒ），３１Ｌ、接触型表示Ｉ／Ｆ３２を介して接続される外部の表示装置にそれぞれ電力が供給されると共に、前記電磁誘導電源供給部３５（３５Ｒ），３５Ｌから電源供給用コア３４（３４Ｒ），３４Ｌを介して当該電子下敷１２Ａ，１２Ｂに載置される前記電子ペーパ１１Ａ，１１Ｂへと非接触で電力が供給される。
【００４１】
図６は、前記電子ペーパ記録装置１０Ａ，１０Ｂにおいて電子下敷１２Ａ，１２Ｂのバインダ部１３，１６に対応させて設けた電子ペーパ１１Ａ，１１Ｂへの電源供給と通信接続を行うための電磁誘導部（平面タイプ）の構成を示す図である。
【００４２】
この電磁誘導部（平面タイプ）は、バインダ用貫通孔１６ａ，１６ｂ（図３参照）を持たない電子ペーパ１１Ａ，１１Ｂの綴じ込み部１８の電磁誘導電源部２２と通信部２３に対して電磁誘導による電源供給と通信接続を行うもので、電子ペーパ（片面タイプ）１１Ａおよび（両面タイプ）１１Ｂの何れの場合でも、電子下敷１２Ａ，１２Ｂの電磁誘導電源供給部３５（３５Ｒ），３５Ｌや通信装置３７（３７Ｒ），３７Ｌに設けた下敷側コア３９の先端露出面に対応する位置にはペーパ内コア４０…が内蔵され、このペーパ内コア４０の周囲を囲むように信号取り出し用の平面コイル４１が内蔵される。
【００４３】
なお、図６（Ａ１）で示す電子下敷（片面タイプ）１２Ａの電磁誘導部の場合には、その電子ペーパ（片面タイプ）１１Ａを綴じ込むバインダ部１３の内部にも下敷側コア３９を延長させ、当該電子ペーパ（片面タイプ）１１Ａのペーパ内コア４０…と合わせて電磁力線の磁束ループが損失少なく形成されるようにする。同図６（Ａ１）において４２はバインダ部１３の綴じ込み力を有するヒンジである。
【００４４】
すなわち、電子ペーパ（片面タイプ）１１Ａ…の綴じ込み部１８にペーパ内コア４０…を設けた場合には、設けない場合に較べて、下敷側コア３９との間で当該ペーパ内コア４０…を介し磁気抵抗が低くなり漏れ磁束少なく磁束ループがスムーズに通過形成されるので、電子下敷１２Ａ，１２Ｂの電磁誘導電源供給部３５（３５Ｒ），３５Ｌから出力される電源エネルギ信号、そして、通信部３７（３７Ｒ），３７Ｌから送信される通信信号は、下敷側コイル４３から下敷側コア３９を経て、電子ペーパ１１Ａ，１１Ｂのペーパ内コア４０…からペーパ側平面コイル４１へと効率よく伝送され、その電磁誘導電源部２２へと電源供給され、通信部２３へと受信されるようになる。
【００４５】
図７は、前記電子ペーパ記録装置１０Ａ，１０Ｂにおいて電子下敷１２Ａ，１２Ｂのバインダ部１３，１６に対応させて設けた電子ペーパ１１Ａ，１１Ｂへの電源供給と通信接続を行うための電磁誘導部（凸面タイプ）の構成を示す図である。
【００４６】
この電磁誘導部（凸面タイプ）は、バインダ用貫通孔１６ａ，１６ｂ（図３参照）を有する電子ペーパ１１Ａ，１１Ｂの綴じ込み部１８の電磁誘導電源部２２と通信部２３に対して電磁誘導による電源供給と通信接続を行うもので、図７（Ａ１）に示すように、電子ペーパ（片面タイプ）１１Ａの場合には、電子下敷（片面タイプ）１２Ａの電磁誘導電源供給部３５や通信装置３７に対応して設けたバインダ兼用凸型コア３９ａを電子ペーパ（片面タイプ）１１Ａの綴じ込み部１８におけるバインダ用貫通孔１６ａ，１６ｂに挿通係止させ、当該電子ペーパ（片面タイプ）１１Ａの綴じ込みを行う。
【００４７】
また、図７（Ｂ）に示すように、電子ペーパ（両面タイプ）１１Ｂの場合には、電子下敷（両面タイプ）１２Ｂの電磁誘導電源供給部３５や通信装置３７に対応して設けたバインダ兼用凸型リング状コア３９ｂ（１６）を電子ペーパ（両面タイプ）１１Ｂの綴じ込み部１８におけるバインダ用貫通孔１６ａ，１６ｂに挿通係止させ、当該電子ペーパ（両面タイプ）１１Ｂの綴じ込みを行う。同図７（Ｂ）において４４は見開きバインダ部１６（３９ｂ）の綴じ込み力を有するヒンジである。
【００４８】
なお、図７で示すバインダ用貫通孔１６ａ，１６ｂを有する電子ペーパ１１Ａ，１１Ｂに対しての電子下敷１２Ａ，１２Ｂの電磁誘導部の場合には、一方の電子下敷（片面タイプ）１２Ａの場合、他方の電子下敷（両面タイプ）１２Ｂの場合の何れにあっても、バインダ兼用凸型コア３９ａあるいはバインダ兼用凸型リング状コア３９ｂによって電子ペーパ１１Ａ，１１Ｂのバインダ用貫通孔１６ａ，１６ｂを通過する環状コアが形成されるので、電磁力線の磁束ループがより損失なく形成される。
【００４９】
すなわち、電子下敷１２Ａ，１２Ｂの電磁誘導電源供給部３５（３５Ｒ），３５Ｌから出力される電源エネルギ信号、そして、通信部３７（３７Ｒ），３７Ｌから送信される通信信号は、下敷側コイル４３からバインダ兼用凸型コア３９ａあるいはバインダ兼用凸型リング状コア３９ｂを経て、電子ペーパ１１Ａ，１１Ｂのペーパ側平面コイル４１へとより効率よく伝送され、その電磁誘導電源部２２へと電源供給され、通信部２３へと受信されるようになる。
【００５０】
一方、電子下敷１２Ａ（１２Ｂ）のタブレット１４上に載置された電子ペーパ１１Ａ（１１Ｂ）上で電子ペン１５によって手書き作業を行うと、当該電子ペン１５による書き込み位置は、電子下敷１２Ａ（１２Ｂ）のタブレット１４によって座標検出される。
【００５１】
この際、電子ペーパ１１Ａ（１１Ｂ）のタブレット１４上での載置位置は、電磁誘導コイルによって構成されたキャリブレーションポインタ２６ａ〜２６ｄの各位置が同タブレット１４によって座標検出されることで、その規定の載置位置からの座標の位置ずれが電子下敷１２Ａ（１２Ｂ）の制御装置２８によって計算検出される。
【００５２】
これにより、電子ペーパ１１Ａ（１１Ｂ）上での電子ペン１５での書き込み作業に伴い電子下敷１２Ａ（１２Ｂ）のタブレット１４によって検出される座標位置は、前記計算検出された電子ペーパ１１Ａ（１１Ｂ）の規定の載置位置からの位置ずれ量に応じて補正され、この補正後の書き込み座標位置に従って電子ペーパ１１Ａ（１１Ｂ）の通信部２３から（情報）記憶装置２１に対し書き込み軌跡の表示データが記憶され、不揮発性表示装置１７での手書きデータ表示が行われる。
【００５３】
図８は、前記電子ペーパ記録装置（両面タイプ）１０Ｂにおいて複数枚の電子ペーパ（両面タイプ）１１Ｂ…が載置された具体例を示す図である。
【００５４】
なお、同図８では、便宜上、各電子ペーパ１１Ｂ…の対面間隔を空けて示しているが、実際には間隔なく重なっているのは言うまでもない。
【００５５】
例えば、電子下敷（両面タイプ）１２Ｂの左面のタブレット１４Ｌ上に２枚の電子ペーパ１１Ｂが（Ｂ）１１Ｂ２→（Ｅ）１１Ｂ５の順に重ねられ、また右面のタブレット１４Ｒ上には３枚の電子ペーパ１１Ｂが（Ａ）１１Ｂ１→（Ｃ）１１Ｂ３→（Ｄ）１１Ｂ４の順に重ねられている状態では、先ず、左面のタブレット１４Ｌ上にある電子ペーパ（Ｅ）１１Ｂ５の裏面側重なり検出センサ２５Ｌの受光部ＡＣに受光が検出され「最上面（重なり無し）」と判別されると共に、キャリブレーションポインタ２６ａ〜２６ｄによってその座標位置がタブレット１４Ｌに検出されるので、当該電子ペーパ（Ｅ）１１Ｂ５は電子下敷（両面タイプ）１２Ｂの左面上で有効（アクティブ）と判別される。
【００５６】
また、右面のタブレット１４Ｒ上に重ねてある３枚の電子ペーパ（Ａ）１１Ｂ１，（Ｃ）１１Ｂ３，（Ｄ）１１Ｂ４については、何れの電子ペーパ（Ａ）（Ｃ）（Ｄ）もそのキャリブレーションポインタ２６ａ〜２６ｄによってタブレット１４Ｒに検出される一方で、電子ペーパ（Ｄ）１１Ｂ４の表側重なり検出センサ２５Ｒの受光部ＡＣにだけ受光が検出されて「最上面（重なり無し）」と判別されるので、当該電子ペーパ（Ｄ）１１Ｂ４は電子下敷（両面タイプ）１２Ｂの右面上で有効（アクティブ）と判別される。
【００５７】
さらに、前述した通り、それ以外の重なり不明な電子ペーパ（Ａ）１１Ｂ１，（Ｂ）１１Ｂ２，（Ｃ）１１Ｂ３の表面または裏面の発光部ＥＭを無作為な順番で発光ｈさせることで、その都度、受光部ＡＣに受光のあるペーパの面が前記発光させたペーパの面と重なり合うことが判別されると共に、受光部ＡＣに受光のないペーパの面が最下面に位置することが判別される。
【００５８】
これにより、同図８に示す具体例では、電子下敷１２Ｂに対し、５枚の電子ペーパ（Ａ）１１Ｂ１〜（Ｅ）１１Ｂ５が、（Ｂ）１１Ｂ２→（Ｅ）１１Ｂ５→（Ｄ）１１Ｂ４→（Ｃ）１１Ｂ３→（Ａ）１１Ｂ１の並び順で装着されていることを判別できる。
【００５９】
従って、電子下敷１２Ｂの制御装置２８では、その電磁誘導部を介して非接触で通信接続されている各電子ペーパ１１Ｂ１，１１Ｂ２，…それぞれのＩＤ（Ａ）（Ｂ）…に対応付けて、その表裏の重なり検出センサ２５Ｒ，２５Ｌによる重なり検出に基づく並び順やアクティブ有無などを判別管理することで、外部接続される情報端末から取得した各種コンテンツの表示データや前記左右のタブレット１４Ｌ，１４Ｒにて検出された電子ペン１５による手書きデータ、あるいは入力装置３１Ｌ，３１Ｒから入力された文字データ等を、前記電磁誘導部を介してその有効（アクティブ）な電子ペーパ１１ＢのＩＤを有する不揮発性表示装置１７Ｌ，１７Ｒに表示させることができるのは勿論、コンテンツＩＤや目次等によって順番付けられる複数のコンテンツの表示データを、各電子ペーパ１１Ｂ…にそれぞれその並び順に書き込んで表示させることもできる。
【００６０】
図９は、前記電子ペーパ記録装置１０Ａ，１０ＢをネットワークＮ上のクラウドコンピューティングシステムの端末として組み込んだ場合の電子回路の構成を示すブロック図である。
【００６１】
これによれば、電子下敷１２Ｂ（１２Ａ）にＷｅｂブラウザを組み込むことで、ネットワークＮ上の情報提供サーバ５３Ｗ…から選択的に取得される任意のコンテンツの表示データを電子ペーパ１１Ａ（１１Ｂ）に表示させることができる。
【００６２】
電子ペーパ１１Ａ（１１Ｂ）の電子回路は、前記図３を参照して説明したように、例えばフレキシブルＩＣチップのコンピュータである低機能ＣＰＵからなる制御装置１９を中心にして、不揮発性表示装置１７（１７Ｒ，１７Ｌ）、ＩＤ記憶部２０、情報記憶装置２１、電磁誘導電源部２２、通信装置２３、入力装置２４（２４Ｒ，２４Ｌ）、重なり検出センサ２５（２５Ｒ，２５Ｌ）、キャリブレーションポインタ２６ａ〜２６ｄが接続される。
【００６３】
電子下敷１２Ｂ（１２Ａ）の電子回路は、前記図５を参照して説明したように、例えばフレキシブルなＩＣチップのコンピュータである低機能ＣＰＵからなる制御装置２８を中心にして、タブレット１４Ｒ，１４Ｌ（１４）、ＩＤ記憶部２９、情報記憶装置３０、入力装置３１Ｒ，３１Ｌ（３１）、接触型表示Ｉ／Ｆ３２、外部接続装置３３、電磁誘導電源供給部３５Ｒ，３５Ｌ（３５）、通信装置３７Ｒ，３７Ｌ（３７）、電源部（バッテリ）３８が接続される。
【００６４】
前記電子ペーパ１１Ｂ（１１Ａ）…は、前記電子下敷１２Ｂ（１２Ａ）に対して、前記図１，図２で示したように、そのバインダ部１６（１３）によってタブレット１４Ｒ，１４Ｌ（１４）上に載置して綴じることで、前記図６，図７で示したような電磁誘導部を介して、電子下敷１２Ｂ（１２Ａ）の電磁誘導電源供給部３５Ｒ，３５Ｌ（３５）が電子ペーパ１１Ｂ（１１Ａ）…の電磁誘導電源部２２に電磁接続され、また電子下敷１２Ｂ（１２Ａ）の通信装置３７Ｒ，３７Ｌ（３７）が電子ペーパ１１Ｂ（１１Ａ）…の通信装置２３に電磁接続される。
【００６５】
そして、電子ペーパ１１Ｂ（１１Ａ）…のキャリブレーションポインタ２６ａ〜２６ｄから発生される電磁誘導信号が電子下敷１２Ｂ（１２Ａ）のタブレット１４Ｒ，１４Ｌ（１４）により座標検出されることで、当該タブレット１４Ｒ，１４Ｌ（１４）に対する電子ペーパ１１Ｂ（１１Ａ）…の平面方向の載置位置が検出される。
【００６６】
電子ペン１５は、当該ペンＩＤを記憶するＩＤ記憶部１５ａと、このＩＤ記憶部１５ａに記憶されたペンＩＤを読み出してコード信号を生成出力するＩＣチップの制御部１５ｂと、この制御部１５ｂにより生成出力されたペンＩＤのコード信号を電磁誘導信号に変換して出力するコイルを備えた通信装置１５ｃを有する。
【００６７】
前記電子ペーパ１１Ａ（１１Ｂ）の各回路部を制御装置１９が制御するためのプログラムデータは情報記憶装置２１に記憶され、またこの情報記憶装置２１には、当該電子ペーパ１１Ａ（１１Ｂ）の仕様である固有情報の他、入力装置２４（２４Ｒ，２４Ｌ）からのキー操作入力だけでなく、電子ペン１５からの電子下敷１２Ｂ（１２Ａ）による手書き位置検出入力、あるいは外部接続された情報提供サーバ５３Ｗからのテキスト・画像などの各種コンテンツの入力に応じたデータを不揮発性表示装置１７（１７Ｒ，１７Ｌ）に表示させるための表示データなども記憶される。
【００６８】
このため、この電子ペーパ１１Ａ（１１Ｂ）の情報記憶装置２１には、当該電子ペーパ１１Ａ（１１Ｂ）の不揮発性表示装置１７（１７Ｒ，１７Ｌ）によって表示させるべきコンテンツの表示データをそのコンテンツＩＤに対応付けて保存し、また手書きデータをその位置情報に対応付けて保存するための記憶領域（表示コンテンツ記憶部２１Ｄ：図１１参照）が確保される。
【００６９】
前記電子下敷１２Ｂ（１２Ａ）の各回路部を制御装置２８が制御するためのプログラムデータ（Ｗｅｂブラウザ含む）は情報記憶装置３０に記憶され、またこの情報記憶装置３０には、綴じ込みされた各電子ペーパ１１Ｂ（１１Ａ）…を管理するための管理情報の他、入力装置３１Ｒ，３１Ｌ（３１）からのキー操作入力だけでなく、タブレット１４Ｒ，１４Ｌ（１４）による前記電子ペン１５からの手書き位置検出入力、あるいは外部接続された情報提供サーバ５３Ｗ…からのテキスト・画像などの各種コンテンツの入力に応じたデータを、現在有効（アクティブ）な電子ペーパ１１Ｂ（１１Ａ）へ送信して表示させるための表示データなども一時記憶される（電子ペーパ管理テーブル３０Ｔ：図１０参照）。
【００７０】
そして、表示装置４５は、前記電子ペーパ１１Ａ（１１Ｂ）…と同様にして前記電子下敷１２Ｂ（１２Ａ）のバインダ部１６（１３）に必要に応じて綴じられ、その各々の接触型表示Ｉ／Ｆ３２，５２によって接続される。この表示装置４５においても、電子ペン１５からの電子下敷１２Ｂ（１２Ａ）による手書き位置検出入力、あるいは外部接続された情報提供サーバ５３Ｗ…からのテキスト・画像などの各種コンテンツの入力に応じたデータをＬＣＤ表示装置４６にて表示できる。
【００７１】
ここで、前記電子下敷１２Ｂ（１２Ａ）の外部接続装置３３に外部接続されるネットワークＮ上の情報提供サーバ５３Ｗ…は、当該外部接続装置３３との有線通信又は無線通信により接続されるＰＣや携帯電話などの通信端末装置６１を中継して接続する構成としてもよいし、直接接続する構成としてもよい。
【００７２】
図１０は、前記電子ペーパ記録装置１０Ａ，１０Ｂの電子下敷１２Ｂ（１２Ａ）の情報記憶装置３０にて記憶管理される電子ペーパ管理テーブル３０Ｔの内容を示す図である。
【００７３】
この図１０の具体例では、両面タイプの電子下敷１２Ｂにて記憶管理される電子ペーパ管理テーブル３０Ｔについて示す。
【００７４】
この電子ペーパ管理テーブル３０Ｔには、電子下敷１２Ｂのバインダ部１６に電子ペーパ１１Ｂ…が綴じられてタブレット１４Ｒ，１４Ｌ上に載置された際に、当該電子ペーパ１１Ｂ…のそれぞれから通信受信される各電子ペーパ１１Ｂ…の固有情報（電子ペーパＩＤ・表裏コード）、重なり検出センサ２５Ｒ，２５Ｌによる重なり検出情報に基づき判別される並び順情報およびアクティブ（有効）情報が記憶されると共に、各電子ペーパ１１Ｂ…の表裏それぞれに表示されている表示情報（コンテンツＩＤ／コンテンツ表示データ／コンテンツ目次データ／手書きデータとその位置）も記憶される。
【００７５】
そして、電子ペーパ管理テーブル３０Ｔに記憶される各種の情報のうち、前記重なり検出情報に基づく並び順情報、アクティブ（有効）情報については、リアルタイムに更新されて記憶される。
【００７６】
よって、この電子ペーパ管理テーブル３０Ｔに従って、電子下敷１２Ｂ（１２Ａ）の右面と左面とにおける現在有効（アクティブ）な電子ペーパ１１Ｂ（１１Ａ）と各電子ペーパ１１Ｂ（１１Ａ）…の並び順を認識し、これに基づいた操作信号の入力処理、表示データの読出し処理、書込み処理等を実行する。
【００７７】
なお、この電子ペーパ管理テーブル３０Ｔは、外部接続されるネットワークＮ上の電子ペーパ管理サーバ５３にて、電子下敷１２Ｂ（１２Ａ）の下敷ＩＤと対応付けて記憶管理する構成としてもよい。
【００７８】
図１１は、前記電子ペーパ記録装置１０Ｂ（１０Ａ）の電子ペーパ１１Ｂ（１１Ａ）の情報記憶装置２１にて記憶管理される表示コンテンツ記憶部２１Ｄの内容を示す図である。
【００７９】
この図１１の具体例では、両面タイプの電子ペーパ１１Ｂ１（ペーパＩＤ：Ａ）にて記憶管理される表示コンテンツ記憶部２１Ｄについて示す。
【００８０】
この表示コンテンツ記憶部２１Ｄには、電子下敷１２Ｂに装着され、当該電子下敷１２Ｂからの電力供給と表示制御に伴い各種コンテンツの表示データや手書きデータがアクティブ（有効）な表面（１）または裏面（２）の不揮発性表示装置１７Ｒ，１７Ｌに表示される毎に、各種コンテンツの表示データはそのコンテンツＩＤに対応付けられて記憶され、また手書きデータはその位置情報に対応付けられて記憶される。
【００８１】
さらに、各電子ペーパ１１Ｂ（１１Ａ）…の表示コンテンツ記憶部２１Ｄに記憶されるコンテンツＩＤ、コンテンツ表示データ、手書きデータとその位置情報は、例えばユーザによって「並び替え」の指示があった場合、前記並び順情報に応じた書き換え処理によって書き換えられて記憶される。
【００８２】
次に、前記構成の電子ペーパ記録装置１０Ａ，１０Ｂの電子下敷１２Ａ，１２Ｂの動作について説明する。
【００８３】
図１２は、前記電子ペーパ記録装置１０Ａ，１０Ｂの電子下敷１２Ａ，１２Ｂによる電子下敷処理を示すフローチャートである。
【００８４】
図１３は、前記電子下敷１２Ａ，１２Ｂの電子下敷処理に伴う重なり検出処理を示すフローチャートである。
【００８５】
図１４は、前記電子下敷１２Ａ，１２Ｂの重なり検出処理に伴う単独重なり検出処理を示すフローチャートである。
【００８６】
図１５は、前記電子下敷１２Ａ，１２Ｂの電子下敷処理に伴うコンテンツ順番特定処理を示すフローチャートである。
【００８７】
なお、この電子下敷処理において、電子下敷１２Ａ，１２Ｂに装着された各電子ペーパ１１Ａ…，１１Ｂ…に対して、外部からユーザ任意のコンテンツの表示データを取得（例えば、情報記憶装置３０に記憶されたＷｅｂブラウザプログラムに従いネットワークＮ上の情報提供サーバ５３Ｗから取得）して表示させる処理については、出願人の先の特許出願（特願2012-176079、特願2012-193318、特願2012-193336）に記述されており、ここでの説明を省略する。
【００８８】
ここでは、５枚の電子ペーパ（両面タイプ）（Ａ）１１Ｂ１〜（Ｅ）１１Ｂ５に、ユーザ任意に取得した一連のコンテンツＩＤ（表：１０１／裏：１０２）〜（表：１０９／裏：１１０）の表示データ（表：Ｄ１／裏：Ｄ２）〜（表：Ｄ９／裏：Ｄ１０）がそれぞれ順番に記憶保持された状態において、当該各電子ペーパ（Ａ）１１Ｂ１〜（Ｅ）１１Ｂ５がその並び順をばらばらに電子下敷（両面タイプ）１２Ｂの見開きバインダ部１６に、上から（Ｂ）１１Ｂ２，（Ｅ）１１Ｂ５，（Ｄ）１１Ｂ４，（Ｃ）１１Ｂ３，（Ａ）１１Ｂ１の順で装着され、図８で示したように、そのうち２枚の電子ペーパ（Ｂ）１１Ｂ２，（Ｅ）１１Ｂ５が左面のタブレット１４Ｌ上にめくられた後の具体例について説明する。
【００８９】
すなわち、前記５枚の電子ペーパ（Ａ）１１Ｂ１〜（Ｅ）１１Ｂ５がその並び順を無作為に電子下敷１２Ｂに装着された場合、図８で示したように、当該各電子ペーパ（Ｂ）１１Ｂ２，（Ｅ）１１Ｂ５，（Ｄ）１１Ｂ４，（Ｃ）１１Ｂ３，（Ａ）１１Ｂ１をめくってそのそれぞれに表示されているコンテンツ表示データを閲覧して行くと、当然ながらそのコンテンツの順番がばらばらとなり閲覧し辛い。
【００９０】
そこで、入力装置３１Ｒ，３１Ｌのユーザ操作に応じて前記各電子ペーパ（Ａ）１１Ｂ１〜（Ｅ）１１Ｂ５における表示コンテンツの「並び替え」が指示されると（ステップＳ１（Ｙｅｓ））、当該各電子ペーパ（Ａ）１１Ｂ１〜（Ｅ）１１Ｂ５のＩＤ記憶部２０から通信装置２３を介して読み出される電子ペーパＩＤ（Ａ）〜（Ｅ）に基づいて、図１３および図１４における重なり（並び順）検出処理に移行される（ステップＳＡ）。
【００９１】
この重なり（並び順）検出処理では、先ず、前記各電子ペーパ（Ａ）１１Ｂ１〜（Ｅ）１１Ｂ５の重なり検出センサ１７Ｒ，１７Ｌ（図４参照）の受光部ＡＣから受光信号が出力されているか否かが電子下敷１２Ｂの通信装置３７Ｒ，３７Ｌを介して制御装置２８にて判断され、受光信号が出力されていると判断された電子ペーパ（Ｅ）１１Ｂ５の裏“２”が当該下敷左面の最上面として検出され、また、電子ペーパ（Ｄ）１１Ｂ４の表“１”が同下敷右面の最上面として検出され、その検出情報が一時記憶される（ステップＡ１）。
【００９２】
そして、両面未知となっている電子ペーパ（Ａ）１１Ｂ１〜（Ｃ）１１Ｂ３があると判断された場合に（ステップＡ２（Ｙｅｓ））、このうち何れかの電子ペーパが無作為に選択され（ステップＡ３）、図１４における単独重なり検出処理に移行される（ステップＡＣ）。
【００９３】
すると、前記選択された電子ペーパの表または裏の重なり検出センサ１７Ｒ，１７Ｌ（図４参照）の発光部ＥＭが、通信装置３７Ｒ，３７Ｌおよび電子誘導電源供給部３５Ｒ，３５Ｌを介して発光駆動される（ステップＣ１）。
【００９４】
そして、前記発光駆動された電子ペーパ以外の各電子ペーパの重なり検出センサ１７Ｒ，１７Ｌの受光部ＡＣから受光信号が出力されているか否かが通信装置３７Ｒ，３７Ｌを介して制御装置２８にて判断され、受光信号が出力されていると判断された電子ペーパの面が前記発光駆動された電子ペーパの面の隣接面として検出されその検出情報が一時記憶される（ステップＣ２）。
【００９５】
具体的には、前記両面未知となっている電子ペーパ（Ａ）１１Ｂ１〜（Ｃ）１１Ｂ３のうち、例えば電子ペーパ（Ａ）１１Ｂ１が選択されその表の重なり検出センサ１７Ｒの発光部ＥＭが発光駆動された場合には、電子ペーパ（Ｃ）１１Ｂ３の裏の重なり検出センサ１７Ｌの受光部ＡＣから受光信号が出力され、隣接面として検出される。
【００９６】
この時点で、両面未知となっている電子ペーパは（Ｂ）１１Ｂ２のみとなり、前記同様に、当該電子ペーパ（Ｂ）１１Ｂ２の表の重なり検出センサ１７Ｒの発光部ＥＭが発光駆動されると（ステップＡ２（Ｙｅｓ）→Ａ３→Ｃ１）、他の電子ペーパ（Ａ）１１Ｂ１，（Ｃ）１１Ｂ３〜（Ｅ）１１Ｂ５の何れの重なり検出センサ１７Ｒ，１７Ｌの受光部ＡＣからも受光信号が出力されないと判断されるので、下敷左面の最下面として検出され、その検出情報が一時記憶される（ステップＣ２）。
【００９７】
するとこの時点で、電子ペーパ（Ｂ）１１Ｂ２の表は下敷左面の最下面、電子ペーパ（Ｅ）１１Ｂ５の裏は下敷左面の最上面、電子ペーパ（Ｄ）１１Ｂ４の表は下敷右面の最上面、電子ペーパ（Ａ）１１Ｂ１の表は電子ペーパ（Ｃ）１１Ｃ３の裏の隣接面であることが検出される。
【００９８】
これにより、両面未知となっている電子ペーパは無いと判断され（ステップＡ２（Ｎｏ））、次に、上面未知の電子ペーパ（Ｃ）１１Ｂ３，（Ｅ）１１Ｂ５があると判断された場合に（ステップＡ４（２枚以上））、このうち何れかの電子ペーパが無作為に選択され（ステップＡ３）、図１４における単独重なり検出処理に移行される（ステップＡＣ）。
【００９９】
具体的には、前記両面未知となっている電子ペーパ（Ｃ）１１Ｂ３，（Ｅ）１１Ｂ５のうち、例えば電子ペーパ（Ｃ）１１Ｂ３が選択されその表の重なり検出センサ１７Ｒの発光部ＥＭが発光駆動された場合には（ステップＣ１）、電子ペーパ（Ｄ）１１Ｂ４の裏の重なり検出センサ１７Ｌの受光部ＡＣから受光信号が出力され、隣接面として検出される（ステップＣ２）。
【０１００】
すると、上面未知の電子ペーパは（Ｅ）１１Ｂ５の１枚以下になったと判断されるので（ステップＡ４（１枚以下））、この時点で、当該電子ペーパ（Ｅ）１１Ｂ５の表は前記電子ペーパ（Ｂ）１１Ｂ２の裏の隣接面であることが検出される。
【０１０１】
これにより、下敷左面（１４Ｌ）には、上から順に電子ペーパ（Ｅ）１１Ｂ５の裏／表→電子ペーパ（Ｂ）１１Ｂ２の裏／表が重なっているとする情報Ｌ１（最上面），Ｌ２，Ｌ３，ＬＥ（最下面）が、図１０に示すように、電子ペーパ管理テーブル３０Ｔの並び順情報として登録され、また同様に、下敷右面（１４Ｒ）には、上から順に電子ペーパ（Ｄ）１１Ｂ４の表／裏→電子ペーパ（Ｃ）１１Ｂ３の表／裏→電子ペーパ（Ａ）１１Ｂ１の表／裏が重なっているとする情報Ｒ１（最上面），Ｒ２，Ｒ３，Ｒ４，Ｒ５，ＲＥ（最下面）が電子ペーパ管理テーブル３０Ｔの並び順情報として登録される（ステップＡ６）。
【０１０２】
なお、本実施形態の電子ペーパ記録装置１０Ｂにおいて、電子ペーパ（両面タイプ）１１Ｂは、先ず電子下敷１２Ｂの右面（１４Ｒ）に載せられて、その左端に綴じ込み部１８を位置させた状態で表、電子下敷１２Ｂの左面（１４Ｌ）にめくられて、その右端に綴じ込み部１８を位置させた状態で裏となる。このため、前記電子ペーパ管理テーブル３０Ｔにおいて、電子下敷１２Ｂに載せられた複数枚の電子ペーパ（Ａ）１１Ｂ１〜（Ｅ）１１Ｂ５の全体の並び順としては、下敷左面（１４Ｌ）にめくられた電子ペーパ（Ｂ）１１Ｂ２，（Ｅ）１１Ｂ５がある場合は、その最下面ＬＥとなる電子ペーパ（Ｂ）１１Ｂ２の表が先頭面、続いて下敷右面（１４Ｒ）に載せられた電子ペーパ（Ａ）１１Ｂ１，（Ｃ）１１Ｂ３，（Ｄ）１１Ｂ４がある場合は、その最下面ＬＥとなる電子ペーパ（Ａ）１１Ｂ１の裏が末尾面として認識される。
【０１０３】
こうして、前記重なり（並び順）検出処理により、電子下敷１２Ｂに載せられた全ての電子ペーパ（Ａ）１１Ｂ１〜（Ｅ）１１Ｂ５の並び順が判別され前記電子ペーパ管理テーブル３０Ｔに登録されると（ステップＳＡ）、通信装置３７Ｌ，３７Ｒを介して、当該各電子ペーパ（Ａ）１１Ｂ１〜（Ｅ）１１Ｂ５の表示コンテンツ記憶部２１Ｄに記憶されている各コンテンツＩＤ（１０１）〜（１１０）とその表示データ（Ｄ１）〜（Ｄ１０）および手書きデータ（ＨＤ１１）〜（ＨＤ１１０）とその位置情報（Ｐ１）〜（Ｐ１０）が（目次データがある場合は同目次データ（Ｍ１）〜（Ｍ１０）も）読み出されて取得され、前記電子ペーパ管理テーブル３０Ｔ（図１０参照）に記憶される（ステップＳ２）。
【０１０４】
すると、図１５におけるコンテンツ順番特定処理へ移行される（ステップＳＢ）。
【０１０５】
このコンテンツ順番特定処理では、先ず、前記電子ペーパ管理テーブル３０Ｔに記憶された各電子ペーパ（Ａ）１１Ｂ１〜（Ｅ）１１Ｂ５それぞれのコンテンツＩＤ（１０１）〜（１１０）について、何れも同様の属性であるか否かが判断される（ステップＢ１）。
【０１０６】
ここで、前記各電子ペーパ（Ａ）１１Ｂ１〜（Ｅ）１１Ｂ５のコンテンツＩＤ（１０１）〜（１１０）について何れも同じ属性であると判断されると（ステップＢ１（Ｙｅｓ））、当該各コンテンツＩＤ（１０１）〜（１１０）に応じてそのコンテンツの順番が特定される（ステップＢ２）。つまりこの場合には、同コンテンツＩＤ（１０１）（１０２）…（１０９）（１１０）の順番に特定される。
【０１０７】
一方、前記電子ペーパ管理テーブル３０Ｔに記憶された各電子ペーパ１１Ｂ…それぞれのコンテンツＩＤ…について、同様の属性ではないと判断された場合には（ステップＢ１（Ｎｏ））、当該各コンテンツＩＤ…に対応付けられて目次データ（Ｍ）…が記憶されているか否か判断される（ステップＢ３）。
【０１０８】
ここで、図１０に示すように、各コンテンツの目次データ（Ｍ１）〜（Ｍ１０）が記憶されていると判断された場合（ステップＢ３（Ｙｅｓ））、例えば、下敷右面（１４Ｒ）に載せられて最上面（Ｒ１）（アクティブ）として認識されている電子ペーパ（Ｄ）１１Ｂ４の表の不揮発性表示装置１７Ｒに対して、制御装置２８から通信装置３７Ｒを介し、当該各目次データ（Ｍ１）〜（Ｍ１０）の一覧がその目次順の変更の有無をユーザに促すメッセージと共に表示される（ステップＢ５）。
【０１０９】
一方、前記電子ペーパ管理テーブル３０Ｔに各コンテンツＩＤ…に対応付けられて目次データ（Ｍ）…が記憶されていないと判断された場合は（ステップＢ３（Ｎｏ））、当該各コンテンツＩＤ…に対応付けられて記憶されている表示データ（Ｄ）…の内容に基づいて各対応する目次データ（Ｍ）…が生成されて記憶され（ステップＢ４）、前記同様に、例えば、下敷右面（１４Ｒ）に載せられて最上面（Ｒ１）（アクティブ）として認識されている電子ペーパ（Ｄ）１１Ｂ４の表の不揮発性表示装置１７Ｒに対して、制御装置２８から通信装置３７Ｒを介し、当該各目次データ（Ｍ）…の一覧がその目次順の変更の有無をユーザに促すメッセージと共に表示される（ステップＢ５）。
【０１１０】
なお、複数ページ分の文書データから目次を自動生成する処理は公知でありその説明を省略する。
【０１１１】
そして、前記下敷右面（１４Ｒ）に載せられた最上面（Ｒ１）の電子ペーパ（Ｄ）１１Ｂ４に表示された目次データ（Ｍ）…の一覧において、電子ペン１５あるいは表示用入力装置２４Ｒによるユーザ操作に応じて各目次データ（Ｍ）…の順番が指定され、その変更が指示されると（ステップＢ６（Ｙｅｓ））、変更後の目次データ（Ｍ１）〜（Ｍ１０）が前記電子ペーパ管理テーブル３０Ｔの各対応するコンテンツＩＤ（１０１）〜（１１０）に対応付けられて登録される（ステップＢ７）。
【０１１２】
一方、前記電子ペーパ（Ｄ）１１Ｂ４に表示された目次データ（Ｍ）…の一覧において、各目次データ（Ｍ）…の順番の変更無しが指示された場合は（ステップＢ６（Ｎｏ））、各コンテンツＩＤに対応付けられて記憶された目次データ（Ｍ１）〜（Ｍ１０）の順番はそのまま維持される。
【０１１３】
すると、前記電子ペーパ管理テーブル３０Ｔに記憶された各目次データ（Ｍ１）〜（Ｍ１０）の順番に応じてそのコンテンツの順番が特定される（ステップＢ８）。
【０１１４】
このように、前記コンテンツ順番特定処理により、前記電子ペーパ管理テーブル３０Ｔに記憶された各コンテンツの順番が、前記コンテンツＩＤ（１０１）〜（１１０）の順番に応じて特定されるか、又は前記目次データ（Ｍ１）〜（Ｍ１０）の順番に応じて特定されると（ステップＳＢ）、当該各コンテンツが現在の各電子ペーパ（Ａ）１１Ｂ１〜（Ｅ）１１Ｂ５の並び順（ＬＥ→Ｌ３→Ｌ２→Ｌ１→Ｒ１→Ｒ２→Ｒ３→Ｒ４→Ｒ５→ＲＥ）に従い書き換えられて変更される（ステップＳ３）。
【０１１５】
すなわち、この実施形態の場合には、図１０に示すように、現在、電子ペーパ管理テーブル３０Ｔにおいて、各電子ペーパ（Ａ）１１Ｂ１〜（Ｅ）１１Ｂ５のペーパＩＤ（Ａ〜Ｅ）の順に従い記憶されている各コンテンツ［コンテンツＩＤ（１０１〜１１０）、コンテンツ表示データ（Ｄ１〜Ｄ１０）、手書きデータ（ＨＤ１１〜ＨＤ１１０）、手書き位置データ（Ｐ１〜Ｐ１０）］が、当該各電子ペーパ（Ａ）１１Ｂ１〜（Ｅ）１１Ｂ５の並び順（ＬＥ→Ｌ３→Ｌ２→Ｌ１→Ｒ１→Ｒ２→Ｒ３→Ｒ４→Ｒ５→ＲＥ）に従い書き換えられて記憶されると共に、通信装置３７Ｌ，３７Ｒを介して、各電子ペーパ（Ａ）１１Ｂ１〜（Ｅ）１１Ｂ５それぞれの表示コンテンツ記憶部２１Ｄ（図１１参照）にも書き換えられて記憶される。
【０１１６】
これにより、前記各電子ペーパ（Ａ）１１Ｂ１〜（Ｅ）１１Ｂ５にそれぞれ記憶されて表示されているコンテンツは、図８で示したように、電子下敷１２Ｂに載せられた当該各電子ペーパ（Ａ）１１Ｂ１〜（Ｅ）１１Ｂ５の並び順（Ｂ）１１Ｂ２，（Ｅ）１１Ｂ５，（Ｄ）１１Ｂ４，（Ｃ）１１Ｂ３，（Ａ）１１Ｂ１に従い書き換えられて表示される。
【０１１７】
この後、例えば下敷右面（１４Ｒ）に載せられてアクティブとなっている最上面の電子ペーパ（Ｄ）１１Ｂ４の表面において、電子ペン１５による手書き入力が為され、その手書きの位置データがタブレット１４Ｒにより検出されると（ステップＳ４）、通信装置３７Ｒを介して、当該電子ペーパ（Ｄ）１１Ｂ４の表面に表示中のコンテンツ表示データ（Ｄ５）上に、当該手書き入力に伴う軌跡が追記データとして重畳されて表示されると共に表示コンテンツ記憶部２１Ｄに記憶される（ステップＳ５）。
【０１１８】
そして、この手書き入力に伴う手書きデータとその位置情報は、電子下敷１２Ｂの電子ペーパ管理テーブル３０Ｔにおいて、前記電子ペーパ（Ｄ）１１Ｂ４のアクティブな表面“１”、コンテンツＩＤ（１０５）に対応付けられた手書きデータ（ＨＤ１５）とその位置情報（Ｐ５）として記憶される（ステップＳ６）。
【０１１９】
したがって、前記構成の電子ペーパ記録装置１０Ａ，１０Ｂの電子下敷１２Ａ，１２Ｂによる表示コンテンツ並び替え機能によれば、複数枚の電子ペーパ（Ａ）１１Ｂ１〜（Ｅ）１１Ｂ５が電子下敷１２Ｂに無作為な並び順で装着されると、各電子ペーパ（Ａ）１１Ｂ１〜（Ｅ）１１Ｂ５の表示コンテンツ記憶部２１Ｄに記憶され不揮発性表示装置１７Ｒ，１７Ｌに表示されるコンテンツ表示データ（Ｄ１〜Ｄ１０）がそのコンテンツＩＤ（１０１〜１１０）と共に読み出されて取得され、電子ペーパ管理テーブル３０Ｔに各電子ペーパＩＤ（Ａ〜Ｅ）と対応付けられて記憶される。そして、前記取得された各コンテンツ表示データ（Ｄ１〜Ｄ１０）の順番が、そのコンテンツＩＤ（１０１〜１１０）の順番又はその目次データ（Ｍ１〜Ｍ１０）の順番で特定され、また、電子下敷１２Ｂに対し装着された各電子ペーパ（Ａ）１１Ｂ１〜（Ｅ）１１Ｂ５の並び順（Ｂ，Ｅ，Ｄ，Ｃ，Ａ）が、当該各電子ペーパ（Ａ）１１Ｂ１〜（Ｅ）１１Ｂ５に設けられた重なり検出センサ２５Ｒ，２５Ｌに基づき判別される。すると、前記判別された各電子ペーパ（Ａ）１１Ｂ１〜（Ｅ）１１Ｂ５の並び順（Ｂ→Ｅ→Ｄ→Ｃ→Ａ）に従って、そのそれぞれに記憶されて表示されるコンテンツ表示データ（Ｄ３，Ｄ４／Ｄ９，Ｄ１０／Ｄ７，Ｄ８／Ｄ５，Ｄ６／Ｄ１，Ｄ２）が、前記特定されたコンテンツＩＤ（１０１〜１１０）の順番又はその目次データ（Ｍ１〜Ｍ１０）の順番に従い（Ｄ１，Ｄ２→Ｄ３，Ｄ４→Ｄ５，Ｄ６→Ｄ７，Ｄ８→Ｄ９，Ｄ１０）と書き換えられて記憶される。
【０１２０】
このため、コンテンツ固有の識別子や内容に応じて順番付けられたコンテンツ表示データ（Ｄ１〜Ｄ１０）がそれぞれ複数の電子ペーパ（Ａ）１１Ｂ１〜（Ｅ）１１Ｂ５に記憶されている状態で、当該複数の電子ペーパ（Ａ）１１Ｂ１〜（Ｅ）１１Ｂ５が無作為な並び順で電子下敷１２Ｂに装着されても、その装着後の並び順（Ｂ→Ｅ→Ｄ→Ｃ→Ａ）に応じた順番で各コンテンツ表示データ（Ｄ１〜Ｄ１０）を書き換えて記憶させ閲覧し易く表示させることができる。
【０１２１】
また、前記各電子ペーパ（Ａ）１１Ｂ１〜（Ｅ）１１Ｂ５に設けられた重なり検出センサ２５Ｒ，２５Ｌは、当該各電子ペーパ（Ａ）１１Ｂ１〜（Ｅ）１１Ｂ５が電子下敷１２Ｂに重ねて装着された状態において、そのペーパ表面とペーパ裏面とに対面する位置の発光部ＥＭおよび受光部ＡＣの組み合わせとして構成され、何れの重なり検出センサ２５Ｒ，２５Ｌの発光部ＥＭも発光させないで受光部ＡＣから受光信号が出力される電子ペーパ（Ｄ）１１Ｂ４の表面を下敷右面（１４Ｒ）の最上面として判別し、同電子ペーパ（Ｅ）１１Ｂ５の裏面を下敷左面（１４Ｌ）の最上面として判別する。そして、各電子ペーパ（Ａ）１１Ｂ１〜（Ｅ）１１Ｂ５毎に、相対面する電子ペーパの面が不明である重なり検出センサ２５Ｒ，２５Ｌの発光部ＥＭを順次発光させ、これに応じて受光部ＡＣから受光信号が出力される電子ペーパの面を重なり面として検出し、各電子ペーパ（Ａ）１１Ｂ１〜（Ｅ）１１Ｂ５全体の並び順（Ｂ→Ｅ→Ｄ→Ｃ→Ａ）を判別できる。
【０１２２】
また、前記各電子ペーパ（Ａ）１１Ｂ１〜（Ｅ）１１Ｂ５から取得されたコンテンツ表示データ（Ｄ１〜Ｄ１０）それぞれの目次データ（Ｍ１〜Ｍ１０）は、当該各表示データ（Ｄ１〜Ｄ１０）の内容に応じて生成され、またその目次データ（Ｍ１〜Ｍ１０）の順番は、最上面に装着中のアクティブな電子ペーパ（Ｄ）１１Ｂ４に一覧表示させてユーザ操作に応じて変更できる。このため、前記各電子ペーパ（Ａ）１１Ｂ１〜（Ｅ）１１Ｂ５の並び順（Ｂ→Ｅ→Ｄ→Ｃ→Ａ）に従い書き換えられる各コンテンツ表示データ（Ｄ１〜Ｄ１０）を、ユーザ任意に変更した目次データの順番で書き換えることもでき、電子下敷１２Ｂにおいて、さらに閲覧し易く表示させることができる。
【０１２３】
なお、前記実施形態では、電子下敷１２Ｂ（１２Ａ）に装着された複数枚の電子ペーパ１１Ｂ…（１１Ａ…）の並び順を、当該各電子ペーパ１１Ｂ…（１１Ａ…）に設けた重なり検出センサ２５Ｒ，２５Ｌによる重なり検出に基づき判別する構成としたが、各電子ペーパ１１Ｂ…（１１Ａ…）が電子下敷１２Ｂ（１２Ａ）に装着される順番を検出してその並び順を判別する構成としてもよい。
【０１２４】
また、前記実施形態では、電子下敷１２Ｂ（１２Ａ）に複数枚の電子ペーパ１１Ｂ…（１１Ａ…）を装着した際に、当該各電子ペーパ１１Ｂ…（１１Ａ…）にて記憶表示されるコンテンツ表示データＤ１，Ｄ２，…の順番を、前記装着された電子ペーパ１１Ｂ…（１１Ａ…）の並び順に従って書き換え、ユーザに閲覧し易く表示させる構成としたが、例えばＵＳＢメモリ等からなる複数の電子媒体をそのデータ再生装置に任意の並び順で接続した際に、それぞれの電子媒体に記憶されているデータを当該電子媒体の並び順に従い書き換えて整理し、順序良くデータ再生する構成としてもよい。
【０１２５】
なお、前記各実施形態において記載した電子データ処理装置による各処理の手法、すなわち、図１２のフローチャートに示す電子下敷処理、図１３のフローチャートに示す前記電子下敷処理に伴う重なり検出処理（ＳＡ）、図１４のフローチャートに示す前記重なり検出処理に伴う単独重なり検出処理（ＡＣ）、図１５のフローチャートに示す前記電子下敷処理に伴うコンテンツ順番特定処理（ＳＢ）等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録装置の媒体に格納して配布することができる。そして、複数の電子媒体を着脱自在に接続可能な電子機器のコンピュータ（制御装置）は、この外部記憶装置の媒体に記憶されたプログラムを記憶装置に読み込み、この読み込んだプログラムによって動作が制御されることにより、前記各実施形態において説明したデータ書き換え（並び替え）機能を実現し、前述した手法による同様の処理を実行することができる。
【０１２６】
また、前記各手法を実現するためのプログラムのデータは、プログラムコードの形態として通信ネットワーク（Ｎ）上を伝送させることができ、この通信ネットワーク（Ｎ）に接続されたコンピュータ装置（プログラムサーバ）から前記プログラムのデータを複数の電子媒体を着脱自在に接続可能な電子機器に取り込んで記憶装置に記憶させ、前述したデータ書き換え（並び替え）機能を実現することもできる。
【０１２７】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１２８】
以下に、本願出願の当初の特許請求の範囲に記載された発明を付記する。
【０１２９】
［１］
複数の電子媒体が着脱自在に接続される電子データ処理装置であって、
前記複数の電子媒体にそれぞれ記憶されたデータを取得するデータ取得手段と、
このデータ取得手段により前記複数の電子媒体から取得された各データの順番を特定するデータ順特定手段と、
前記複数の電子媒体の並び順を検出する媒体並び順検出手段と、
前記複数の電子媒体にそれぞれ記憶されたデータを、前記データ順特定手段により特定された各データの順番で、前記媒体並び順検出手段により検出された前記複数の電子媒体の並び順に従い書き換えるデータ書き換え手段と、
を備えたことを特徴とする電子データ処理装置。
【０１３０】
［２］
前記データ順特定手段は、
前記データ取得手段により前記複数の電子媒体から取得された各データに当該各データの順番を示す順番情報が含まれるか否かを判断する順番情報判断手段を有し、
この順番情報判断手段により前記各データに順番情報が含まれると判断された場合は、その順番情報に従い当該各データの順番を特定する、
ことを特徴とする［１］に記載の電子データ処理装置。
【０１３１】
［３］
前記データ順特定手段は、
前記データ取得手段により前記複数の電子媒体から取得された各データの順番をユーザ操作に応じて変更するデータ順変更手段を有し、
このデータ順変更手段により変更された順番に従い前記各データの順番を特定する、
ことを特徴とする［１］または［２］に記載の電子データ処理装置。
【０１３２】
［４］
前記複数の電子媒体はそれぞれ隣り合う電子媒体の有無を相互に検出する隣接検出センサを有し、
前記媒体並び順検出手段は、前記複数の電子媒体それぞれの識別情報と前記隣接検出センサにより検出される電子媒体毎の隣り合う電子媒体の有無の検出情報とに基づき、当該複数の電子媒体の並び順を検出する、
ことを特徴とする［１］ないし［３］の何れかに記載の電子データ処理装置。
【０１３３】
［５］
前記媒体並び順検出手段は、前記複数の電子媒体の並び順を当該各電子媒体が接続される順番に応じて検出する、
ことを特徴とする［１］ないし［４］の何れかに記載の電子データ処理装置。
【０１３４】
［６］
前記データ取得手段により前記複数の電子媒体から取得された各データに基づいて当該各データの目次を生成する目次生成手段と、
この目次生成手段により生成された前記各データの目次を表示部に表示させる目次表示制御手段と、
を備えたことを特徴とする［１］ないし［５］の何れかに記載の電子データ処理装置。
【０１３５】
［７］
前記データ順特定手段は、
前記目次表示制御手段により表示された各データの目次の順番をユーザ操作に応じて変更する目次順変更手段を有し、
この目次順変更手段により変更された目次の順番に従い前記各データの順番を特定する、
ことを特徴とする［６］に記載の電子データ処理装置。
【０１３６】
［８］
前記電子媒体は、着脱自在に非接触で接続され、表示データを表示する電子ペーパであり、
前記電子ペーパが載せられた状態で、当該電子ペーパ上でのユーザ操作に応じた操作位置を検出する操作位置検出手段と、
この操作位置検出手段により検出されたユーザ操作位置に応じたデータを追記データとして前記電子ペーパの該当する位置に重畳して表示させる追記重畳表示制御手段と、
を備えたことを特徴とする［１］ないし［７］の何れかに記載の電子データ処理装置。
【０１３７】
［９］
複数の電子媒体が着脱自在に接続される電子機器のコンピュータを制御するためのプログラムであって、
前記コンピュータを、
前記複数の電子媒体にそれぞれ記憶されたデータを取得するデータ取得手段、
このデータ取得手段により前記複数の電子媒体から取得された各データの順番を特定するデータ順特定手段、
前記複数の電子媒体の並び順を検出する媒体並び順検出手段、
前記複数の電子媒体にそれぞれ記憶されたデータを、前記データ順特定手段により特定された各データの順番で、前記媒体並び順検出手段により検出された前記複数の電子媒体の並び順に従い書き換えるデータ書き換え手段、
として機能させるためのプログラム。
【符号の説明】
【０１３８】
１０Ａ…電子ペーパ記録装置（片面タイプ）
１０Ｂ…電子ペーパ記録装置（両面タイプ）
１１Ａ…電子ペーパ（片面タイプ）
１１Ｂ…電子ペーパ（両面タイプ）
１２Ａ…電子下敷（片面タイプ）
１２Ｂ…電子下敷（見開きタイプ）
１３  …片面バインダ部
１４Ｒ，１４Ｌ…タブレット
１６  …見開きバインダ部
１７Ｒ，１７Ｌ…不揮発性表示装置
２０  …ペーパＩＤ記憶部
２１Ｄ…表示コンテンツ記憶部
２３  …ペーパ通信装置
２５Ｒ，２５Ｌ…重なり検出センサ
ＥＭ  …発光部
ＡＣ  …受光部
３０Ｔ…電子ペーパ管理テーブル
３７Ｒ，３７Ｌ…下敷通信装置
５３  …電子ペーパ管理サーバ
５３Ｗ…情報提供サーバ
【図１】
2014078167.tif 000003
【図２】
2014078167.tif 000004
【図３】
2014078167.tif 000005
【図４】
2014078167.tif 000006
【図５】
2014078167.tif 000007
【図６】
2014078167.tif 000008
【図７】
2014078167.tif 000009
【図８】
2014078167.tif 000010
【図９】
2014078167.tif 000011
【図１０】
2014078167.tif 000012
【図１１】
2014078167.tif 000013
【図１２】
2014078167.tif 000014
【図１３】
2014078167.tif 000015
【図１４】
2014078167.tif 000016
【図１５】
2014078167.tif 000017